(57)【特許請求の範囲】
【請求項１】
接続可能でかつ遮断可能であり、互いに電気接続されていて、電圧符号化された信号を出力するために直列接続された抵抗（Ｒ１１〜Ｒ１４，Ｒ２１〜Ｒ２４）を１個ずつ有する多数のスイッチ開閉装置（Ｓ１１〜Ｓ１４；Ｓ２１〜Ｓ２４）を備え、これらのスイッチ開閉装置は、それらのその都度の切換状態を、前記抵抗（Ｒ１１〜Ｒ１４，Ｒ２１〜Ｒ２４）の各々に通電する電流を測定することによって検出する評価電子装置に割当てられていて、この場合、これらのスイッチ開閉装置（Ｓ１１〜Ｓ１４；Ｓ２１〜Ｓ２４）は、多数のスイッチ開閉装置（Ｓ１１〜Ｓ１４；Ｓ２１〜Ｓ２４）をそれぞれ有する２つのスイッチ開閉装置群（１，２）に分割されていて、この場合、これらのスイッチ開閉装置群（１，２）は、ダイオード（Ｄ１〜Ｄ４）を介して評価電子装置（ＡＥ）の２つの接続部（Ａ１，Ａ２）に接続されていて、接続されたスイッチ開閉装置（Ｓ１１〜Ｓ１４；Ｓ２１〜Ｓ２４）及び付随する抵抗（Ｒ１１〜Ｒ１４；Ｒ２１〜Ｒ２４）に依存する、すなわち符号化された電気信号値がそれぞれ、これらの接続部（Ａ１，Ａ２）に印加されていて、この場合、これらのスイッチ開閉装置群（１，２）は、評価電子装置（ＡＥ）によって直流電圧源の両極（+,-)に交互に接続されている、直流電圧源に接続されている電動切換装置において、
−スイッチ開閉装置群（１，２）は、その入力部（ｅ１，ｅ２）及びその出力部（ａ１，ａ２）にそれぞれ１つのダイオード（Ｄ１，Ｄ２，Ｄ３，Ｄ４）を有し、この場合、各スイッチ開閉装置群（１，２）はそれぞれ、１つのダイオード（Ｄ１，Ｄ３又はＤ２，Ｄ４）を介して評価電子装置（ＡＥ）の両接続部（Ａ１，Ａ２）の各々に接続されていること、
−評価電子装置（ＡＥ）の両接続部（Ａ１，Ａ２）の各々は、それぞれ１つのシャント抵抗（Ｒ１，Ｒ２）を介して直流電圧源の正極（＋）に接続されていること、
−互いに同方向に配置され、一方のスイッチ開閉装置群（１）に属される２つのダイオード（Ｄ１，Ｄ３）が、同様に互いに同方向に配置され、他方のスイッチ開閉装置群（２）に属される２つのダイオード（Ｄ２，Ｄ４）に対して逆方向に接続されていること、及び−少なくとも１つの発光ダイオード（ＬＤ１′，ＬＤ２′，ＬＤ１″，ＬＤ２″）から構成された発光装置（Ｓ）が、両スイッチ開閉装置群（１，２）にそれぞれ割り当てられていて、この発光装置（Ｓ）は、一方では直流電圧源の正極（＋）に割り当てられた評価電子装置（ＡＥ）の第３端子（Ａ３）に接続されていて、他方では２つのダイオード（Ｄ３，Ｄ４）を介して評価電子装置（ＡＥ）の２つの接続部（Ａ１，Ａ２）に接続されていて、これらのダイオード（Ｄ３，Ｄ４）は、直流電圧源の負極（−）への接続を保証しかつ２つのスイッチ開閉装置群（１，２）の互いに接続されている出力部（ａ１，ａ２）に接続されていることを特徴とする電動切換装置。
【請求項２】
評価電子装置（ＡＥ）は、マイクロコンピュータ（μＣ）を有し、これは、各スイッチ開閉装置群（１；２）に対して制御出力部（ポート１，ポート２）及びアナログ／デジタル変換器の入力部（ＡＤＷ１；ＡＤＷ２）を有すること、各スイッチングトランジスタ（Ｔ１；Ｔ２）のベースは、一方の抵抗器（Ｒ１* , Ｒ１**；Ｒ２* ，Ｒ２**）を介してそれらの両制御出力部の各々に接続され、このトランジスタのコレクタは、一方でシャント抵抗（Ｒ１；Ｒ２）を介して直流電圧源の正極(+) に接続され、他方でその評価電子装置に割当てられた接続部（Ａ１；Ａ２）と、他方の抵抗器（Ｒ１′, Ｒ１″; Ｒ２′, Ｒ２″）を介してそのアナログ／デジタル変換器の入力部とに接続されていることを特徴とする請求項１に記載の電動切換装置。
【請求項３】
両スイッチングトランジスタ（Ｔ１；Ｔ２）とそれに付随する抵抗器（Ｒ１′, Ｒ１″; Ｒ２′, Ｒ２″；Ｒ１* , Ｒ１**；Ｒ２* ，Ｒ２**）と、両シャント抵抗（Ｒ１；Ｒ２）は、マイクロコンピュータ（μＣ）中に内蔵されていることを特徴とする請求項２に記載の電動切換装置。
【請求項４】
少なくとも１個の発光ダイオード（ＬＤ１；ＬＤ２）から構成される発光装置（Ｓ）は、両スイッチ開閉装置群（１；２）にそれぞれ割当てられ、この発光装置（Ｓ）は、一方で直流電源の正極(+) に割当てられた評価電子装置（ＡＥ）の接続部（Ａ３）に接続され、他方で逆方向に配列された２個のダイオード（Ｄ３；Ｄ４）を介してその評価電子装置の一方と他方の接続部（Ａ１；Ａ２）に接続されていることを特徴とする請求項１〜３のいずれか１項に記載の電動切換装置。
【請求項５】
接続部（Ａ３）がＰＮＰトランジスタ（Ｔ３′）を介して直流電圧源に接続され、これのベースが、２個の抵抗（Ｒ３′，Ｒ３″）から構成される分圧器を介して一方でその直流電圧源の正極(+) に接続され、他方でＮＰＮトランジスタ（Ｔ３″）のエミッタによって接地されているこのＮＰＮトランジスタ（Ｔ３″）のコレクタに接続され、さらに、これのベースが、組合せ抵抗（Ｒ３* , Ｒ３**）を介してパルス幅変調された信号を出力するマイクロコンピュータ（μＣ）の出力部（ＰＷＭ）に接続されていることによって、発光装置（Ｓ）に給電するために設けられた評価装置（ＡＥ）のその正極(+) に割当てられた接続部（Ａ３）は、パルス幅変調された信号を出力することを特徴とする請求項１〜４のいずれか１項に記載の電動切換装置。
【請求項６】
発光装置（Ｓ）の輝度は、この発光装置の通電時間によって変動されること、及び、この通電時間は、複数のトランジスタ（Ｔ１，Ｔ２）の導通時間に依存することを特徴とする請求項１〜４のいずれか１項に記載の電動切換装置。
【請求項７】
直流電圧源の負極(-) は、  −  一般に自動車で行われているように  −  接地されていることを特徴とする請求項１〜６のいずれか１項に記載の電動切換装置。
【発明の詳細な説明】
【０００１】
【発明の属する技術分野】
本発明は、請求項１の上位概念にしたがって考えられた電動切換装置に関する。
【０００２】
【従来の技術】
この切換装置に属する複数のスイッチ開閉装置を介してそれらに連動する消費体を電力なしで接続したり遮断するため、このような  −  直流電圧源に接続されている  −  切換装置が提案されている。この場合、信号電流だけがこれらのスイッチ開閉装置を経由して通電される。それらの消費体に割当てられた、例えば、リレー又は電力半導体のような、複数の電力ドライバがこの信号電流によって駆動される。１台の切換装置に属するスイッチ開閉装置が多数あるときにその各スイッチ開閉装置が単一の電気導線だけを介してそれらの電力ドライバに接続させないため、これらのスイッチ開閉装置はそれぞれ１個の抵抗を有することが知られている。この場合、これらの抵抗は、その抵抗値で識別がつく。その結果、複数の制御信号が、それらの消費体の電力ドライバに割当てられた評価信号装置に伝送される。これらの制御信号は、電圧符号化のためにいろいろなレベルに変動する。
【０００３】
それ自体非常に信頼性の高いこの動作原理では、特に多数のスイッチ開閉装置を同時に動作させる際に、これらのスイッチ開閉装置又は１つのスイッチ開閉装置が評価電子装置によって確実に識別されかつ割当てられるようにするにあたって、スイッチ開閉装置が多数ある場合に、これらのステップにおけるこれらのスイッチ開閉装置に付随する電圧レベル、又はこれらの電圧レベルから生じる電流の識別がつかない点で問題がある。
【０００４】
【発明が解決しようとする課題】
本発明の課題は、切換装置に属するスイッチ開閉装置が比較的多数であっても、個々のスイッチ開閉装置が確実に一義的に識別されかつ特定して割当てられるように、冒頭で述べた種類の切換装置を改良することにある。
【０００５】
【課題を解決するための手段】
本発明の課題は請求項１の特徴部分によって解決される。
切換装置のこのような構成の有利な効果は、レベルステップが同じ場合に電気接続導線の数を増やさないで、スイッチ開閉装置の数を２倍にすることが可能な点である。
【０００６】
本発明の電動切換装置のその他の好ましい構成は従属請求項に記載されている。
【０００７】
【発明の実施の形態】
以下に、本発明の実施の形態を図面に基づいて詳しく説明する。
この図面から分かるように、直流電圧源に接続されている評価電子装置ＡＥは、それの接続部Ａ１，Ａ２を介して２つのスイッチ開閉装置群１，２に分割された、特に並列接続された多数のスイッチ開閉装置Ｓ１１- Ｓ１４，Ｓ２１- Ｓ２４に接続されている。抵抗Ｒ１１- Ｒ１４，Ｒ２１- Ｒ２４が、特に動作すべきこれらのスイッチ開閉装置にそれぞれ割当てられている。多数のスイッチ開閉装置が同時に動作するときでも、電流だけがそれらの接続導線中で発生するように、これらの抵抗は、それらのそれぞれの値に区別して選ばれている。これらの電流は、その評価電子装置によって一義的に確認可能である。
【０００８】
したがって、両スイッチ開閉装置群に関連する状態の一義的な検出が実現可能である。これらの両スイッチ開閉装置群１，２の両入力部ｅ１，ｅ２は、その順方向に配列された１個のダイオードＤ１，Ｄ２をそれぞれ介して接続部Ａ１，Ａ２に接続されている。そして、両出力部ａ１，ａ２は、他方のスイッチ開閉装置群にそれぞれ割当てられたその接続部Ａ１，Ａ２にそれぞれ接続されている。その結果、これらの両スイッチ開閉装置群は、正極(+) を有するシャント抵抗Ｒ１，Ｒ２をそれぞれ介し、かつ負極(-) を有する２個のＰＮＰトランジスタを介して直流電圧源に交互に接続可能である。
【０００９】
さらに、これらの各接続部Ａ１，Ａ２は、その一方の側で抵抗器Ｒ１′，Ｒ１″，Ｒ２′，Ｒ２″を介してマイクロコンピュータμＣのアナログ／デジタル変換器の入力部ＡＤＷ１，ＡＤＷ２に接続され、その他方の側でそれぞれのＰＮＰトランジスタＴ１，Ｔ２のエミッタに接続されている。これらのトランジスタによって、そのコレクタが直流電圧源の負極(-) にそれぞれ接続され、かつ、これらのトランジスタのそれぞれのベースが、抵抗器Ｒ１* ，Ｒ１**，Ｒ２* ，Ｒ２**を介してそのマイクロコンピュータの出力ポート１，ポート２にそれぞれ接続されている。
【００１０】
分圧器として機能する２個の抵抗からそれぞれ構成される上述した複数の抵抗器は、  −  例えば、Ｒ１′，Ｒ２″のように  −  直流電圧源が比較的高いときでも、例えば、約 12 Ｖしか必要としない。明らかに僅かな電圧値の場合、例えば、約 5Ｖの場合は、抵抗がマイクロコンピュータの入力部と出力部の複数の接続導線中にそれぞれ１個あれば十分に足りる。
【００１１】
若干の場合には、発光装置（Ｓ）をスイッチ開閉装置群１，２に割当てることが好ましい。この場合、これは、２つの配線分岐部から有利に構成される。このとき、少なくとも１個の発光ダイオードから成る光源が各配線分岐部中に存在する。この実施の形態では、２個の発光ダイオードＬＤ１′，ＬＤ１″；ＬＤ２′，ＬＤ２″が、それぞれその一方の側で１個の直列抵抗ＲＳ１，ＲＳ２をそれぞれ介して１つの配線分岐部ごとに評価電子装置ＡＥの接続部Ａ３に接続され、かつその他方の側で両スイッチ開閉装置群１，２の出力部ａ１，ａ２に接続されている。しかも、これらの出力部ａ１，ａ２は、逆方向に接続された各ダイオードＤ３，Ｄ４を介して他方のスイッチ開閉装置群の入力部に割当てられた接続部Ａ２，Ａ１にそれぞれ接続されている。発光装置Ｓを駆動するために、接続部Ａ３が、ＮＰＮトランジスタＴ３′のエミッタによって直流電圧源の正極に接続されているこのＮＰＮトランジスタＴ３′のコレクタに接続されている。これのベースは、この直流電圧源の正極に接続し、かつＰＮＰトランジスタ３″のコレクタによって負極に接続されているこのＰＮＰトランジスタ３″のエミッタに接続されている分圧器Ｒ３′，Ｒ３″の分岐点に接続されている。これのベースは、抵抗器Ｒ３* ，Ｒ３**を介してパルス幅変調信号を出力するマイクロコンピュータの入力部ＰＷＭに接続されている。
【００１２】
−  例えば、 5Ｖのような  −  比較的低い直流電圧源だけが発光装置用に必要なときには、ＰＷＭ出力部を介して発生するその比較的低い直流電圧源の印加に対して、ＰＮＰトランジスタ又はＮＰＮトランジスタが１個でもそれに対応する配置中で十分に足りる。
顧客特定用途用の集積回路（ＡＳＩＣ）の場合は、評価電子装置ＡＥに属する構成要素、すなわち、先に説明したトランジスタ及び抵抗がマイクロコンピュータ中に内蔵される。
【００１３】
以下に、先に説明した切換装置の機能を詳しく説明する。
この切換装置の利用者が個々のスイッチ開閉装置を識別しやすくするため、発光装置だけが電気系の受動状態の時に動作している。この場合、トランジスタＴ３′は、トランジスタＴ３″のベースを駆動することによって導通されている。その結果、一方で、直流電圧源の正極が発光ダイオードＬＤ１，ＬＤ２に接続されている。他方で、これらのダイオードは、ダイオードＤ３及びＤ４又はこれらの内の一方を介し、かつ一方のトランジスタＴ１及び他方のトランジスタＴ２又はこれらの内の一方を介してその直流電圧源の負極に接続されている。その結果、輝度がこれらを通じて制御される。この輝度は、マイクロコンピュータのパルス幅変調された出力信号に依存する。しかし、その発光装置の輝度は、トランジスタＴ１，Ｔ２の導通時間によっても変化され得る。この場合、評価電子装置ＡＥの接続部Ａ３は、これらの正極(+) 上に直接に接続されてもよい。
【００１４】
この場合、この系は、所定の時間間隔で、例えば、 10 ミリ秒毎にアクティブにされる。すなわち、スイッチ開閉装置群１，２が、それらの開閉状態に関して周期的にサンプリングされる。このサンプリング中、発光装置は、これがトランジスタＴ２，Ｔ１のコレクタによってそれぞれ負極に接続されている  −  駆動されなかったそのスイッチ開閉装置群１，２に付随する  −  このトランジスタＴ２，Ｔ１を介して同様にその負極に接続されているように、各状態ごとに接続されている。
【００１５】
スイッチ開閉装置群１，２の１つ又は多数のスイッチ開閉装置が閉じている場合は、これに依存する電圧が、付加されたシャント抵抗Ｒ１，Ｒ２で降下する。そして、付随するアナログ／デジタル変換器の入力部ＡＤＷ１又はＡＤＷ２が、それに対応する信号を受取る。この信号は、マイクロコンピュータによって検出され、そして便宜上示さなかった消費体に接続されている、１つ又は複数のスイッチ開閉装置を駆動するために付加された、同様に便宜上示さなかった電力ドライバに入力される。この経過は比較的短い間隔でブロックごとに行われるため、短期間だけ変化する開閉状態も確実に検出される。
【００１６】
【図面の簡単な説明】
【図１】 本発明の電動切換装置の回路図である。
【符号の説明】
１，２      スイッチ開閉装置群
Ｓ11〜24    スイッチ開閉装置
Ｓ          発光装置
Ｒ11〜24    抵抗
Ｄ１〜４    ダイオード
μＣ        マイクロコンピュータ
Ｔ１，２    トランジスタ
ＬＤ１′    発光ダイオード
【図１】
0004165931.tif 000002